(57)【要約】【課題】  表示パネルの実効表示領域の対向部位において前面保護プレートに形成した反射防止膜の剥離や損傷或いは粉ふき等の発生を防止する。【解決手段】  表示パネルユニット２の実効表示領域１２ａを縁ち取る化粧枠部材４の外周フランジ部１５の内面に、先端部１７ａが表示開口部１９の開口縁１６ａよりも前面保護プレート６側に突出された突当てリブ１７を一体に形成し、外周フランジ部１５で覆われた表示パネルユニット２の非表示領域１２ｂと対向する位置で前面保護プレート６の主面に突き当たるようにする。【選択図】  図３
2006072243.tif 000002
【特許請求の範囲】
【請求項１】
表示パネル体と、
透明プレートの少なくとも表示面側の主面に反射防止層が形成され、上記表示パネル体の前面側に組み合わされる前面保護プレートと、
上記表示パネル体の実効表示領域を外方に臨ませる表示開口部を構成する外周フランジ部と、この外周フランジ部の内側面に上記表示開口部の開口縁に沿った外周側に位置しかつ先端部が上記開口縁よりも上記前面保護プレート側に突出される高さを有して一体に形成された突当てリブとを有し、上記前面保護プレートに対して前面側から組み合わされて保持するとともに上記外周フランジ部が上記表示パネル体の上記実効表示領域を縁ち取る化粧枠部材とを備え、
上記化粧枠部材が上記前面保護プレートの前面側に組み合わされて上記外周フランジ部により上記表示パネル体の上記実効表示領域を縁ち取りした状態で、上記突当てリブが上記表示パネル体の非表示領域と対向する位置において上記前面保護プレートの主面に突き当たってこの主面と上記表示開口部の上記開口縁との間に間隙を構成することを特徴とするパネル型表示装置。
【請求項２】
上記非表示領域に位置して上記表示パネル体と上記前面保護プレートとの間に介在される弾性材を備え、
上記突当てリブが、上記弾性材と対向して上記化粧枠部材の上記外周フランジ部に一体に形成されていることを特徴とする請求項１に記載のパネル型表示装置。
【発明の詳細な説明】
【技術分野】
【０００１】
本発明は、液晶パネル等の表示パネルを備えたパネル型表示装置に関し、さらに詳しくは表示パネルの前面側に前面保護プレートと化粧枠部材とが組み合わされたパネル型表示装置に関する。
【背景技術】
【０００２】
パネル型表示装置は、例えば液晶ディスプレィパネル（LCD:Liquid Crystal Display Panel）やプラズマディスプレィパネル（PDP:Plasma Display Panel）等の軽量で薄型の表示パネルを備えている。パネル型表示装置は、陰極線管（CRT:Cathode-Ray Tube）と比較して大型の表示画面化、軽量化、薄型化を実現し、ハイビジョン放送や地上波デジタル放送用の受信機や各種の大型ディスプレィ装置用として注目されている。（特許文献１）
従来のパネル型表示装置１００は、図４に示すように、表示パネル体１０１を収納した筐体１０２にベゼルと称される矩形枠状の化粧部材１０３が組み合わされる。パネル型表示装置１００は、表示パネル体１０１の前面に実際に画像等の表示が行われる実効表示領域１０１ａを囲んで防塵作用やクッション作用を奏する弾性材１０４が接合され、この弾性材１０４を介して前面保護プレート１０５が組み合わされる。
【０００３】
なお、表示パネル体１０１は、詳細を省略するが、積層状態に組み合わされた表示パネルや駆動回路部或いはバックライトユニット（液晶パネルの場合に備えられる）と、これらの積層体を収納する箱状の金属フレーム１１１とによって構成される。金属フレーム１１１には、前面部に全周に亘ってフランジ部１１２が形成されており、このフランジ部１１２に囲まれて開口する開口部１１３から表示パネルの実効表示領域１０１ａを外方へと臨ませる。上述した弾性材１０４は、金属フレーム１１１のフランジ部１１２の表面に接合される。
【０００４】
パネル型表示装置１００は、前面保護プレート１０５が、ガラス板等の透明材により表示パネル体１０１の表示面とほぼ同等の大きさに形成された透明プレート１０６と、この透明プレート１０６の表面に形成された反射防止層１０７とから構成される。パネル型表示装置１００は、表示パネル体１０１の表示面に前面保護プレート１０５を組み合わせることにより、反射防止層１０７が表示パネル体１０１の表示面で生じる外部光の反射を抑制して二重像の発生を防止するようにする。なお、パネル型表示装置１００においては、前面保護プレート１０５の内面側にも反射防止層を形成するようにしてもよい。
【０００５】
パネル型表示装置１００においては、化粧部材１０３が例えば合成樹脂材によって上述したように略枠状に形成され、前面部位に全周に亘って外周フランジ部１０８が一体に形成されている。化粧部材１０３には、外周フランジ部１０８によって表示パネル体１０１の実効表示領域１０１ａよりもやや大きな開口寸法を有する開口部１０９が形成される。化粧部材１０３には、外周フランジ部１０８が、開口部１０９の開口縁を全周に亘って内側へと向かって折曲することにより、後述するように前面保護プレート１０５の主面１０５ａに突き当てられる突当て部１１０を構成する。
【０００６】
パネル型表示装置１００においては、化粧部材１０３が前面保護プレート１０５に対して前面側から、突当て部１１０を主面１０５ａに突き当てるようにして組み合わされて筐体１０２と一体化される。パネル型表示装置１００においては、化粧部材１０３が突当て部１１０によって前面保護プレート１０５を表示パネル体１０１（詳細には金属フレーム１１１のフランジ部１１２）側に押圧して弾性材１０４を押し潰した状態とし、前面保護プレート１０５がその外周部を突当て部１１０と表示パネル体１０１との間で挟まれて保持される。パネル型表示装置１００においては、弾性材１０４が表示パネル体１０１と前面保護プレート１０５とに密着してその間に埃等が侵入することを防止する。
【０００７】
パネル型表示装置１００においては、弾性材１０４から蓄勢された弾性力が前面保護プレート１０５に作用され、この前面保護プレート１０５を化粧枠部材１０３の外周フランジ部１０８側へと付勢する。パネル型表示装置１００においては、前面保護プレート１０５が突当て部１１０と弾性材１０４を介して表示パネル体１０１との間で挟まれた状態を保持され、振動音等の発生が防止される。
【０００８】
パネル型表示装置１００においては、上述したように表示パネル体１０１に対してその前面側に化粧部材１０３が組み合わされ、実効表示領域１０１ａが開口部１０９から外方に臨ませられるとともに外周フランジ部１０８によって縁ち取られるようにする。パネル型表示装置１００においては、表示パネル体１０１が前面保護プレート１０５によって保護されるとともに反射防止膜１０７の反射防止作用によって高品質の画像表示が行われるようになり、化粧部材１０３によって表示パネル体１０１の外周部位に設けられる図示しない取付部や結合部或いは配線等が目隠しされる。
【０００９】
【特許文献１】特開２００３−１７４６９２号公報
【発明の開示】
【発明が解決しようとする課題】
【００１０】
パネル型表示装置１００においては、上述したように表示パネル体１０１の前面側に化粧枠部材１０３を組み合わせることにより、実効表示領域１０１ａが開口部１０９を介して外方に臨ませられるとともに全周に亘って外周フランジ部１０８によって縁ち取られるようにする。パネル型表示装置１００においては、化粧枠部材１０３が突当て部１１０により前面保護プレート１０５を表示パネル体１０１側に押圧することによって、この前面保護プレート１０５を保持する。
【００１１】
パネル型表示装置１００においては、上述したように前面保護プレート１０５と表示パネル体１０１との間で押し潰されることにより弾性材１０４に弾性力が蓄勢され、この弾性力を前面保護プレート１０５に作用させることで、前面保護プレート１０５が保持されるように構成される。したがって、パネル型表示装置１００においては、例えば輸送時等において衝撃や振動が加えられることにより、前面保護プレート１０５と化粧枠部材１０３の突当て部１１０との間で当接状態を保持したまま擦れ動作が生じる。
【００１２】
パネル型表示装置１００においては、突当て部１１０により擦られることで、前面保護プレート１０５に形成した反射防止層１０７に剥離や損傷等の現象が発生する虞がある。パネル型表示装置１００においては、反射防止層１０７の剥離や損傷が開口部１０９内の部位に達して生じた場合に、外部から視認可能となることで外観不良となる。パネル型表示装置１００においては、表示効率の向上を図るために突当て部１１０が表示パネル体１０１の実効表示領域１０１ａの外周とほぼ同一位置で前面保護プレート１０５に突き当てられるように構成した場合に、上述した実効表示領域１０１ａと対向する反射防止層１０７の剥離等により表示品質が低下する。
【００１３】
また、パネル型表示装置１００においては、前面保護プレート１０５と化粧枠部材１０３の突当て部１１０との間の擦れ動作によってこれら部材から削り粉が生じ、この削り粉が前面保護プレート１０５の表面に広く付着していわゆる粉ふきの状態が生じることもあった。パネル型表示装置１００においては、このためにユーザに納品する際に、個装箱から取り出して柔い布等によって前面保護プレート１０５の表面から付着した削り粉を拭き取るととともに再梱包を行うといった面倒な対応も必要であった。
【００１４】
したがって、本発明は、簡易な構成により表示パネルの実効表示領域の対向部位において前面保護プレートに形成した反射防止膜の剥離や損傷或いは粉ふき等の発生を防止するパネル型表示装置を提供することを目的に提案されたものである。
【課題を解決するための手段】
【００１５】
上述した目的を達成する本発明にかかるパネル型表示装置は、表示パネル体と、前面保護プレートと、化粧枠部材とを備える。パネル型表示装置は、前面保護プレートが、透明プレートの少なくとも表示面側の主面に反射防止層が形成され、表示パネル体の前面側に組み合わされる。パネル型表示装置は、化粧枠部材が、表示パネル体の実効表示領域を外方に臨ませる表示開口部を構成する枠状の外周フランジ部と、この外周フランジ部の内側面に表示開口部の開口縁に沿った外周側に位置しかつ先端部が開口縁よりも前面保護プレート側に突出される高さを有して一体に形成された突当てリブとを有する。
【００１６】
本発明にかかるパネル型表示装置においては、前面保護プレートが表示パネル体の前面に組み合わされてこの表示パネル体を保護するとともに、反射防止層によって表示パネル体の表面で発生する反射光を減衰させて二重像の発生を抑制して良好な画像等の表示が行われるようにする。パネル型表示装置においては、化粧枠部材が前面保護プレートの組み合わせ状態を保持するとともに、外周フランジ部の表示開口部によって表示パネル体の実効表示領域を縁ち取りする。パネル型表示装置においては、この状態で化粧枠部材の突当てリブを外周フランジ部に覆われた表示パネル体の非表示領域と対向する位置で前面保護プレートの主面に突き当てるようにして、この前面保護プレートの主面と表示開口部の開口縁との間に間隙が構成されるようにする。したがって、パネル型表示装置においては、輸送時等において表示開口部の開口縁と前面保護プレートの主面との間に擦れ動作が生じないようにして表示画像の質を劣化させる反射防止層の剥離や破損が実効表示領域において発生することが防止される。また、パネル型表示装置においては、粉ふき現象の原因となる擦れ動作により化粧枠部材の外周フランジ部や前面保護プレートから生じる削り粉が表示パネルの表示領域と対向する前面保護プレートの表面に拡散して付着することを抑制する。
【発明の効果】
【００１７】
本発明にかかるパネル型表示装置によれば、化粧枠部材の外周フランジ部の内面に、先端部が表示開口部の開口縁よりも前面保護プレート側に突出された突当てリブを一体に形成して表示パネル体の非表示領域と対向する位置で前面保護プレートの主面に突き当たるようにすることにより、この前面保護プレートの主面と表示開口部の開口縁との間に間隙が構成されるようにする。パネル型表示装置によれば、表示パネル体の実効表示領域を縁ち取る化粧枠部材の外周フランジ部に形成された表示開口部の開口縁と前面保護プレートの主面との間において擦れ動作が生じないようにする。パネル型表示装置によれば、表示パネル体の実効表示領域と対向する部位において前面保護プレートの傷付きや、その主面に形成した反射防止層の剥離や破損の発生が防止されることにより、外観不良や表示画像の劣化等の発生を防止して信頼性の向上が図られるようになる。また、パネル型表示装置によれば、前面保護プレートの全面に拡がる粉ふき現象の発生も低減されることで、拭き取り作業等を不要として工程を合理化することが可能となる。
【発明を実施するための最良の形態】
【００１８】
以下、本発明の実施の形態として図面に示したパネル型表示装置１について詳細に説明する。パネル型表示装置１は、表示パネルユニット２として液晶パネルが用いられて大型画面化と薄型、軽量化を図ったテレビジョン受像機である。パネル型表示装置１は、図１に示すように筐体３に収納した表示パネルユニット２の外周部に化粧枠部材（ベゼル）４を組み合わせて正面形状が横長矩形を呈して構成され、底面部にスタンド５を組み合わせてなる。なお、パネル型表示装置１は、表示パネルユニット２として液晶表示パネルに限定されず、例えばプラズマ・ディスプレィ・パネル等の他の薄型表示パネルが用いられるようにしてもよい。パネル型表示装置１は、例えばスタンド５に表示パネルユニット２の表示面角度を調整する角度調整機構や首振り調整機構を設けたり、スタンド５を外して壁掛け型として用いるようにしてよい。
【００１９】
パネル型表示装置１は、表示パネルユニット２の前面に、詳細を後述する前面保護プレート６が組み合わされている。パネル型表示装置１には、化粧枠部材４の一部、例えば図１において正面の右下部位に機能の設定状態を光学的に表示する機能光学表示部７が設けられている。パネル型表示装置１は、内部に設けた機能表示用発光ユニットから表示光を導光し、機能光学表示部７において電源状態や録画の設定状態或いは通信設定状態等が光学的に表示されるようにする。パネル型表示装置１は、この機能光学表示部７にリモートコントローラから出射されるコントロール信号を受信する受信部が設けられている。
【００２０】
パネル型表示装置１は、例えば長手方向の両側面部に左右のスピーカボックスを組み合わすようにしてもよく、さらに左右のスピーカボックスが左右の化粧枠部材を構成するようにしてもよい。化粧枠部材４は、以下の説明において枠状に一体に形成された部材として説明するが、上述したスピーカボックス等の組み合わされる他の部材と共同して全体として枠状部材を構成し、表示パネルユニット２の外周部を縁ち取りするとともに前面保護プレート６を保持する機能を有する部材であればよい。化粧枠部材４は、例えば長手方向の両端部を左右のスピーカボックスに結合される長尺の矩形の上辺部材と下辺部材とで構成されるようにしてもよい。
【００２１】
表示パネルユニット２は、詳細を省略するが積層状態に組み合わされる液晶パネル８と光変換導光ユニット９とバックライトユニット１０とこれらの積層体を収納して一体化するフレーム体１１等によって構成される。表示パネルユニット２は、図２に示すように液晶パネル８の表示面を前面側にしてフレーム体１１が筐体３と化粧枠部材４とで構成された内部空間に取り付けられる。なお、表示パネルユニット２には、図示しないが、フレーム体１１の内部或いは外部に液晶パネル８の駆動回路や電源回路或いは制御回路や受信回路等の回路ユニットが組み付けられる。
【００２２】
液晶パネル８は、一対のガラス基板間に液晶を封入し、この液晶に対して電圧を印加して液晶分子の向きを変えて光透過率を変化させる。液晶パネル８は、一方のガラス基板の内面にストライプ状の透明電極と絶縁膜と配向膜とを形成するとともに、他方のガラス基板の内面に光３原色のカラーフィルタとオーバコート層とストライプ状の透明電極と配向膜とを形成する。液晶パネル８は、各ガラス基板の表面にそれぞれ偏向フィルムと位相差フィルムとを接合する。液晶パネル８は、配向膜が液晶分子を界面にして水平方向に配列され、偏向フィルムと位相差とが波長特性を無彩色化、白色化してカラーフィルタによるフルカラー化を図って画像をカラー表示する。
【００２３】
表示パネルユニット２は、バックライトユニット１０が例えば多数個の赤色光、緑色光及び青色光を発光する発光ダイオードを適宜に配列して設けており、液晶パネル８に対して照明光を供給する。バックライトユニット１０には、各発光ダイオードから発生する熱を放熱する放熱ユニットが組み合わされている。表示パネルユニット２は、導光ユニット９にバックライトユニット１０から出射された照明光に対して所定の光学変換処理を施す光学変換機能シートや全面に亘って光量を均一化する拡散プレート等が備えられている。表示パネルユニット２は、バックライトユニット１０から出射された照明光が導光ユニット９を介して液晶パネル８に供給される。
【００２４】
フレーム体１１は、例えばアルミ材等の機械的剛性を有するとともに熱伝導性に優れた軽量金属材によって全体略箱型に形成されている。フレーム体１１には、詳細を省略するが、底面部や外周部に筐体３或いは化粧枠部材４に取り付けるための適宜の取付部が一体に形成されている。フレーム体１１には、詳細を省略するが内周部にも上述した液晶パネル８等の積層体を組み付けるための適宜の取付部が一体に形成されている。
【００２５】
フレーム体１１には、液晶パネル８の表示面１２を外方に臨ませる開口部１１ａが、外周フランジ部１１ｂによって縁ち取られて構成されている。フレーム体１１は、外周フランジ部１１ｂが、図３に示すように後述する液晶パネル８の実効表示領域１２ａを囲む非表示領域１２ｂの幅よりもやや小幅に形成されている。なお、フレーム体１１には、化粧枠部材４に組み付けるための適宜の取付部が一体に形成されている。
【００２６】
液晶パネル８は、詳細を省略するが、ガラス基板の接合部や電極引き出し部等が構成されるために、表示面１２に実際に画像等が表示される実効表示領域１２ａを縁ち取るようにして外周縁に沿って所定幅の非表示領域１２ｂが構成されている。液晶パネル８は、後述するように表示面１２の非表示領域１２ｂが化粧枠部材４によって被覆されるとともに、図３に示すようにこの非表示領域１２ｂと対向するフレーム体１１の外周フランジ部１１ｂに化粧枠部材４との間に介在するようにして弾性材１３が接合されている。
【００２７】
弾性材１３は、例えばポリウレタン樹脂、ゴム等の弾性を有する材料によって実効表示領域１２ａよりもやや大きな開口寸法を有する枠状に形成されている。弾性材１３は、例えば両面接着テープにより非表示領域１２ｂに位置して、液晶パネル８と前面保護プレート６とに接合される。弾性材１３は、前面保護プレート６に加えられる衝撃等を吸収するクッション作用を奏するとともに、外周部における表示パネルユニット２への塵埃等の侵入を防止する防塵作用とを奏する。
【００２８】
化粧枠部材４は、例えば透明なポリカーボネート樹脂やアクリル樹脂等を素材として、本体部１４と外周フランジ部１５と縁取り部１６と突当てリブ１７と組み合わせ段部１８等を一体に形成してなり、液晶パネル８の実効表示領域１２ａを外方に臨ませる表示開口部１９を構成する。化粧枠部材４は、本体部１４が、前面部が開口されて略箱状に形成された筐体３の開口寸法とほぼ等しい開口寸法を有する矩形枠状に形成される。本体部１４には、図３に示すように背面側の開口縁に沿って全周に亘って段落ちされて組み合わせ段部１８が形成されている。
【００２９】
化粧枠部材４は、本体部１４の組み合わせ段部１８を筐体３の開口縁に全周に亘って形成された組み合わせ段部２０と突き合わせて筐体３と一体に組み合わされることにより表示装置１の外装体を構成する。なお、化粧枠部材４には、図示しないが内面側に多数個の筒状取付部や取付部が適宜の位置に一体に形成されており、これら取付部に筐体３側に相対して形成した取付部からねじ込まれる止めねじによって筐体３と一体化されるとともにフレーム体１１との組み合わせが行われる。
【００３０】
化粧枠部材４には、本体部１４の前面側に、内方に向かって直交状態に折曲された外周フランジ部１５が全周に亘って一体に形成されている。外周フランジ部１５には、先端部側を内方へと向かって次第に傾斜させて縁取り部１６が全周に亘って一体に形成されている。外周フランジ部１５は、縁取り部１６の開口縁１６ａまでの全体の幅が液晶パネル８の非表示領域１２ｂよりもやや小幅とされて形成されており、化粧枠部材４が表示パネルユニット２を組み合わせた筐体３に取り付けられた状態において液晶パネル８の実効表示領域１２ａを外周部に非表示領域１２ｂの一部を介して縁ち取りして外方に臨ませる表示開口部１９を構成する。
【００３１】
化粧枠部材４には、外周フランジ部１５の内面に、突当てリブ１７が一体に形成されている。突当てリブ１７は、縁取り部１６の開口縁１６ａよりもやや内方へと突出する高さを有して、表示開口部１９の開口縁に沿った全域に亘って延在する枠状の立壁として一体に形成されている。突当てリブ１７は、所定の機械的剛性を有する厚みとされるとともに、先端部１７ａが例えば断面円弧状に形成されている。突当てリブ１７は、後述するように前面保護プレート６の主面に突き当てられるが、外部から視認されない外周フランジ部１５の内面に形成されることで、前面保護プレート６との摩擦力を低減し或いは機械的強度を向上させる任意の形状に形成することが可能である。
【００３２】
突当てリブ１７は、縁取り部１６の開口縁１６ａよりも内方へと突出する高さを有することで、後述するように化粧枠部材４が筐体３に取り付けられた状態において、前面保護プレート６の主面との突き当て部位を構成する。突当てリブ１７は、液晶パネル８の非表示領域１２と対向する部位において先端部１７ａが前面保護プレート６の主面と突き当てられる。突当てリブ１７は、詳細には、フレーム体１１の外周フランジ部１１ｂと前面保護プレート６とに接合された弾性材１３と対向する位置において先端部１７ａが前面保護プレート６の主面と突き当てられる。
【００３３】
化粧枠部材４においては、突当てリブ１７が前面保護プレート６と突き当たることにより、図３に示すように、縁取り部１６の開口縁１６ａと前面保護プレート６の主面との間にΔｘの間隙が保持される。化粧枠部材４においては、縁取り部１６の基端部となる外周フランジ部１５の内面に突当てリブ１７を一体に形成したことにより、この突当てリブ１７が縁取り部１６を補強する作用も奏する。化粧枠部材４においては、縁取り部１６が表示画面から大きな段差で立ち上がる形状であると使用者に対して厚み感を与えてしまうことから、開口縁１６ａが薄厚であることが好ましい。化粧枠部材４においては、縁取り部１６を薄厚とすることにより厚み方向に歪み等が生じやすくなり、表示部の印象を著しく損ねてしまう。化粧枠部材４においては、外周フランジ部１５の内面に突当てリブ１７を形成したことによって、縁取り部１６が薄厚であっても機械的強度が保持されるようになる。
【００３４】
化粧枠部材４は、表示効率の向上を図るためには、縁取り部１６の開口縁１６ａと液晶パネル８の実効表示領域１２ａの外周部位とがより近づけられるようにして表示開口部１９を構成することが好ましい。しかしながら、化粧枠部材４は、表示パネルユニット２の組立精度や構成各部材の寸法精度によって表示開口部１９と液晶パネル８の実効表示領域１１とに位置づれが生じることもあることから、上述したように縁取り部１６の開口縁１６ａが液晶パネル８の非表示領域１２ｂの一部を外方に臨ませるようにしてフレーム体１１に組み合わされる。化粧枠部材４においては、上述したように突当てリブ１７が、液晶パネル８の非表示領域１２ｂと対向した位置で前面保護プレート６に突き当てられるようにする。
【００３５】
前面保護プレート６は、透明プレート２１と、この透明プレート２１の主面に形成された反射防止層２２とから構成される。透明プレート２１は、例えばガラス或いは透明なアクリル樹脂やポリカーボネート樹脂等によって、液晶パネル８の外形寸法とほぼ同等若しくはやや大きな外形寸法と所定の機械的剛性を有する厚みを以って形成される。
【００３６】
なお、前面保護プレート６は、例えば液晶パネル８の実効表示領域１２ａを全周に亘って縁ち取る黒色枠を印刷し、この黒色枠と化粧枠部材４の表示開口部１９の外周領域との間に透明な枠状部位を構成して表示画像が浮き上がるようにして表示されるようにしてもよい。前面保護プレート６は、例えばプラズマ・ディスプレィ・パネルを用いた他場合に、内面に銅細線メッシュ層からなる電磁波遮蔽層を形成するようにしてもよい。
【００３７】
反射防止層２２は、例えばＡｌ２Ｏ３やＳｎＯ２等の金属酸化物、ポリサルサンや芳香族ポリマー等の有機化合物或いはＳｉＯ２等の無機材や含フッ素化合物等の有機材からなる低屈折材料を前面保護プレート６の前面側に均一な厚みで塗布等することによって全面に亘って形成される。反射防止層２２は、基材より低い屈折率を有する多層膜からなり、各界面で発生する反射光の干渉により液晶パネル８の表面に生じる反射光を減衰させて二重像の発生を抑制する。なお、反射防止層２２は、必要に応じて前面保護プレート６の内面側にも形成するようにしてもよい。
【００３８】
パネル型表示装置１においては、上述したように液晶パネル８等の積層体がフレーム体１１の内部空間に組み合わされる。表示パネルユニット２には、フレーム体１１の外周フランジ部１１ｂの前面に弾性材１３が貼り付けられ、さらに前面保護プレート６が組み合わされる。パネル型表示装置１においては、前面保護プレート６が弾性材１３に接合した両面接着テープによって液晶パネル８の前面に仮保持され、この前面保護プレート６を筐体３と化粧枠部材４とによって固定する。
【００３９】
パネル型表示装置１においては、筐体３に対して化粧枠部材４が組み合わされて一体化される。パネル型表示装置１においては、化粧枠部材４が縁取り部１６によって液晶パネル８の実効表示領域１２ａを非表示領域１２ｂの一部を介して縁ち取りして表示開口部１９から外方に臨ませるようにする。パネル型表示装置１においては、化粧枠部材４の突当てリブ１７が前面保護プレート６の主面に突き当てられて表示パネルユニット２側に押圧することによって、この前面保護プレート６を保持する。
【００４０】
パネル型表示装置１においては、突当てリブ１７の押圧力により弾性材１３がフレーム体１１の外周フランジ部１１ｂと前面保護プレート６との間で押し潰されて弾性力を蓄勢し、これらフレーム体１１と前面保護プレート６とに密着することによって埃等の侵入を防止する。パネル型表示装置１においては、前面保護プレート６に前面側から衝撃等が加えられた場合にも弾性材１３が弾性変形することによって、前面保護プレート６による液晶パネル８の保護作用が保持されるようにする。
【００４１】
パネル型表示装置１においては、化粧枠部材４の突当てリブ１７が液晶パネル８の非表示領域１２ｂと対向する位置で前面保護プレート６の主面に突き当てられている。パネル型表示装置１においては、輸送時等において振動が加えられることにより前面保護プレート６の主面と突当てリブ１７との間に擦れ動作が生じることがある。パネル型表示装置１においては、この擦れ動作によって前面保護プレート６に形成した反射防止層２２に剥離や破損が生じることもある。
【００４２】
パネル型表示装置１においては、上述した構成から反射防止層２２の剥離や破損が液晶パネル８の非表示領域１２ｂと対向する位置でかつ化粧枠部材４の外周フランジ部１５によって覆われた内方位置で生じることから、反射防止層２２による液晶パネル８の実効表示領域１２ａに対する反射防止作用を損なわせることはなく精度の高い画像表示が保持されるようになる。また、パネル型表示装置１においては、反射防止層２２に剥離や破損が化粧枠部材４の外周フランジ部１５により覆われた部位において生じることから、外観を損なわれることも無い。パネル型表示装置１においては、上述した擦れ動作により前面保護プレート６や突当てリブ１７から多少の削り粉も生じるが、前面保護プレート６の表面に広い範囲に亘って拡散して付着することも低減されるようになる。パネル型表示装置１においては、納品時等において気づかれないようにして行われていた画面の拭き取り操作も不要となる。
【００４３】
なお、上述した実施の形態においては、化粧枠部材４の外周フランジ部１５の内面に、表示開口部１９の全域を囲んで１条の突当てリブ１７を一体に形成したが、必要に応じて複数状の突当てリブ１７を形成するようにしてもよいことは勿論である。突当てリブ１７は、化粧枠部材４が各辺に対応して分割して形成される場合に、それぞれに一体に形成される。また、実施の形態においては、液晶パネル８等の積層体を箱状のフレーム体１１内に収納して一体化して表示パネルユニット２を構成するようにしたが、例えば積層体を全体略板状に形成されたバックパネルに組み合わせるようにしてもよい。バックパネルには、筐体３や化粧枠部材４との取付部や化粧枠部材４との組み合わせ部が一体に形成されるとともに、弾性材１３を接合するフランジ部等も形成する。
【図面の簡単な説明】
【００４４】
【図１】実施の形態として示すパネル型表示装置の正面図である。
【図２】同パネル型表示装置の要部分解斜視図である。
【図３】同パネル型表示装置の要部縦断面図である。
【図４】従来のパネル型表示装置の要部縦断面図である。
【符号の説明】
【００４５】
１  パネル型表示装置、２  表示パネルユニット、３  筐体、４  化粧枠部材、６  前面保護プレート、８  液晶パネル、１１  フレーム体、１１ａ  外周フランジ部、１１ｂ  開口部、１２  表示面、１２ａ  実効表示領域、１２ｂ  非表示領域、１３  弾性材、１４  本体部、１５  外周フランジ部、１６  縁取り部、１７  突当てリブ、１９  表示開口部、２１  透明プレート、２２  反射防止層
【図１】
2006072243.tif 000003
【図２】
2006072243.tif 000004
【図３】
2006072243.tif 000005
【図４】
2006072243.tif 000006